(57)【要約】【課題】照明効率の向上を図り、軽量化及び薄型化を実現する。【解決手段】両端に端子６を有する直管状の冷陰極蛍光ランプ５と、冷陰極蛍光ランプ５の端子６に電気的に接続された一組のランプコネクタ７ａ，７ｂと、冷陰極蛍光ランプ５の径方向に沿って湾曲された反射面９を有して一組のランプコネクタ７ａ，７ｂに跨って支持された反射板８と、を備える。【選択図】図３
2010027439.tif 000002
【特許請求の範囲】
【請求項１】
両端に端子を有する直管状の放電ランプと、
前記放電ランプの前記端子に電気的に接続された一組のランプコネクタと、
前記放電ランプの径方向に沿って湾曲された反射面を有し、前記一組のランプコネクタに跨って支持された反射板と、
を備える光源装置。
【請求項２】
複数の前記放電ランプが配列され、
各前記放電ランプの前記一組のランプコネクタに支持された各前記反射板が連結されている、請求項１に記載の光源装置。
【請求項３】
前記ランプコネクタ及び前記反射板には、互いに係合する係合部がそれぞれ設けられている、請求項１又は２に記載の光源装置。
【請求項４】
前記反射板には、前記放電ランプの外周面を保持する保持部が設けられている、請求項１ないし３のいずれか１項に記載の光源装置。
【請求項５】
前記複数の反射板を支持する枠部材を備える、請求項２に記載の光源装置。
【請求項６】
前記反射板は、樹脂材料によって形成され、前記反射面が金属薄膜によって形成されている、請求項１ないし５のいずれか１項に記載の光源装置。
【請求項７】
請求項１ないし６のいずれか１項に記載の光源装置と、
前記光源装置によって照明される液晶表示板と、
を備える液晶表示装置。
【発明の詳細な説明】
【技術分野】
【０００１】
本発明は、液晶表示板を照明する光源装置、及びこの光源装置を備える液晶表示装置に関する。
【背景技術】
【０００２】
液晶表示装置としては、液晶表示板を照明するいわゆるバックライトとして、直下型の面光源装置を備える構成が知られている。
【０００３】
この種の光源装置は、平面上に配列された複数の冷陰極蛍光ランプと、これら冷陰極蛍光ランプの照明光を反射する反射板と、この反射板を支持する背面板と、反射板によって反射された照明光を拡散させる拡散板とを備える構成が開示されている（特許文献１参照）。
【０００４】
反射板は、金属板によって形成されおり、複数の冷陰極蛍光ランプにわたって配置された平面状の反射面を有している。この反射板は、背面板にネジ止めされて固定されている。
【特許文献１】特開２００７−８０６２７号公報
【発明の開示】
【発明が解決しようとする課題】
【０００５】
ところで、液晶表示装置では、液晶表示板の輝度を高めるために、光源装置の照明効率を向上することが求められている。
【０００６】
しかしながら、上述したような光源装置が備える反射板には、複数の冷陰極蛍光ランプにわたって配置された平面状の反射面を有しているので、反射面によって各冷陰極蛍光ランプによる照明光を充分に反射させることが困難であり、照明効率が乏しいという問題点があった。
【０００７】
加えて、上述した光源装置では、背面板に反射板がネジ止めされて固定されていたので、製造工程における取り付け作業が煩雑であった。
【０００８】
また、この光源装置は、背面板に対して、反射板がネジ等の固定部材を用いて固定されていたため、固定部材が占める重量がかさみ、光源装置、ひいては液晶表示装置の重量や厚みの増加を招いていた。
【０００９】
そこで、本発明は、上述した課題を解決し、照明効率の向上を図り、軽量化及び薄型化を実現することができる光源装置及び液晶表示装置を提供することを目的とする。
【課題を解決するための手段】
【００１０】
上述した目的を達成するため、本発明に係る光源装置は、両端に端子を有する直管状の放電ランプと、放電ランプの端子に電気的に接続された一組のランプコネクタと、放電ランプの径方向に沿って湾曲された反射面を有して一組のランプコネクタに跨って支持された反射板と、を備える。
【００１１】
また、本発明に係る液晶表示装置は、本発明に係る光源装置と、この光源装置によって照明される液晶表示板と、を備える。
【発明の効果】
【００１２】
上述したように本発明によれば、反射板が、放電ランプに対応して湾曲された反射面を有しているので、放電ランプによる照明効率を向上することができる。また、本発明によれば、反射板が一組のランプコネクタに跨って支持されることで、軽量化及び薄型化を図ることができる。
【発明を実施するための最良の形態】
【００１３】
以下、本発明の具体的な実施形態について、図面を参照して説明する。
【００１４】
図１に示すように、本実施形態の液晶表示装置１は、液晶表示板２と、この液晶表示板２の直下に配置された光源装置３とを備えて構成されている。
【００１５】
本実施形態における光源装置３は、いわゆる直下型の面光源装置として用いられており、放電ランプとしての複数の冷陰極蛍光ランプ５が互いに平行に配列されている。
【００１６】
この光源装置３は、図２及び図３に示すように、両端に端子６を有する直管状の冷陰極蛍光ランプ５と、冷陰極蛍光ランプ５の端子６に電気的に接続された一組のランプコネクタ７ａ，７ｂと、冷陰極蛍光ランプ５の径方向に沿って湾曲された反射面９を有して一組のランプコネクタ７ａ，７ｂに跨って支持された反射板（リフレクタ）８と、を備えている。
【００１７】
ランプコネクタ７ａ，７ｂは、例えば金属材等の導電性材料によって円筒状に形成されており、冷陰極蛍光ランプ５の両端部に嵌め込まれて、各端子６に電気的に接続されている。このランプコネクタ７ａ，７の外周部には、反射板８の端部が係合される係合部１１が形成されている。
【００１８】
反射板８は、樹脂材料によって帯状に形成されており、軽量化が図られている。反射板８は、冷陰極蛍光ランプ５の直径に対応する所定の曲率半径で円弧状に湾曲されており、湾曲された内面上に形成された金属薄膜によって反射面９が構成されている。
【００１９】
反射板８には、長手方向の両端部に、ランプコネクタ７ａ，７ｂの係合部１１に挿入されて係合される係合片１２がそれぞれ一体に突出して形成されている。また、反射板８の反射面９側には、長手方向の中央部に、冷陰極蛍光ランプ５の外周面を保持するＣ字状の保持部１３が一体に形成されている。反射板８は、長手方向の両端がランプコネクタ７ａ，７ｂに固定されると共に、長手方向の中央部が保持部１３によって冷陰極蛍光ランプ５を保持することで、反射板８と冷陰極蛍光ランプ５とが一体的に固定されている。
【００２０】
また、反射板８の長手方向に平行な一端部には、隣接する反射板８と係合する係合爪（不図示）が設けられている。また、反射板８の長手方向に平行な他端部には、隣接する反射板８の係合爪が係合される係合溝（不図示）が設けられている。そして、配列された各冷陰極蛍光ランプ５のランプコネクタ７ａ，７ｂにそれぞれ支持された各反射板８は、隣接する反射板８の各端部に設けられた係合爪と係合溝が係合することで、互いに連結されて一体的に構成されている。
【００２１】
また、光源装置３は、図１及び図２に示すように、連結された各反射板８を支持する枠部材としての支持フレーム１０を備えている。この支持フレーム１０は、本発明に関連する光源装置における背面板に相当する部品であり、枠状に形成されることで、光源装置３の軽量化が図られている。
【００２２】
なお、本実施形態では、図示しないが、必要に応じて、反射板９によって反射された照明光を拡散させる拡散板を備える構成が採られてもよい。この構成の場合、拡散板は支持フレーム１０に固定されて設けられる。
【００２３】
上述したように、本実施形態の光源装置３は、各冷陰極蛍光ランプ５に対応して湾曲された反射面９を有する各反射板８がそれぞれ設けられたことで、各冷陰極蛍光ランプ５による照明効率を向上することができる。したがって、本実施形態の液晶表示装置１によれば、液晶表示板２の輝度を向上することができる。
【００２４】
また、光源装置３は、反射板８が一組のランプコネクタ７ａ，７ｂに跨って支持されることによって、本発明に関連する光源装置のように背面板に反射板を固定するネジ等の固定部材が不要になるので、光源装置３及び液晶表示装置１の軽量化及び薄型化を図ることができる。また、光源装置３は、本発明に関連する光源装置のように背面板に反射板をネジ等で固定する必要がなくなるので、反射板８の固定構造、反射板８の組み付け作業を簡素化することができる。
【００２５】
また、光源装置３は、上述した背面板に代わって、反射板８を支持する支持フレーム１０が用いられることで、更に軽量化を実現することができる。
【００２６】
（他の実施形態）
上述した実施形態の液晶表示装置は、光源装置が直下型の面光源として用いられて構成されたが、光源装置が液晶表示板の側端部に配置された、いわゆるエッジ型バックライトとして用いられて構成されてもよい。なお、上述した実施形態における構成部材と同一の構成部材には、同一の符号を付して説明を省略する。
【００２７】
本実施形態の液晶表示板は、図４に示すように、液晶表示板（不図示）と、液晶表示板を照明するための光源装置２１と、この光源装置２１による照明光によって液晶表示板を照明する導光板２２と、を備えて構成されている。
【００２８】
光源装置２１は、導光板２２の一端部に沿って配置された冷陰極蛍光ランプ５と、この冷陰極蛍光ランプ５に電気的に接続された一組のランプコネクタ７ａ，７ｂに支持された反射板８と、を備えている。
【００２９】
本実施形態によれば、反射板８が冷陰極蛍光ランプ５に支持された光源装置２１を備えることによって、液晶表示装置の製造ラインにおける反射板の組み付け工程を簡素化することができる。
【図面の簡単な説明】
【００３０】
【図１】本実施形態の液晶表示装置を模式的に示す断面図である。
【図２】光源装置を示す分解斜視図である。
【図３】光源装置の要部を示す分解斜視図である。
【図４】他の実施形態の液晶表示装置を示す斜視図である。
【符号の説明】
【００３１】
１  液晶表示装置
２  液晶表示板
３  光源装置
５  冷陰極蛍光ランプ
６  端子
７ａ，７ｂ  ランプコネクタ
８  反射板
９  反射面
【図１】
2010027439.tif 000003
【図２】
2010027439.tif 000004
【図３】
2010027439.tif 000005
【図４】
2010027439.tif 000006